(57)【要約】【課題】車椅子を車両の車室に昇降するリフト装置を装備する車両において、リフト装置をコンパクト化し、地上高の大きいキャブオーバ車等であっても、狭小なスペースで車椅子の昇降を可能とする。  【解決手段】車両に車椅子のリフト装置１を装備するに際し、車両の助手席側の側方に配置されたドアの開閉部近傍に、縦方向に延びる回転軸６を設置して、リフト装置を連結部材１０により回転軸６に対して直接固定する。車椅子を昇降させるときは、リフト装置１を回転軸６と一体的に回転させて横向きとし、ドアの開口部に臨むようにする。回転軸６の下部は運転室の床面に、上部は運転室側壁の柱状の構造部材１７にそれぞれ回転可能に支持されており、リフト装置１を確実に保持することができる。【選択図】  図３
2006122567.tif 000002
【特許請求の範囲】
【請求項１】
車椅子（３）を車両の車室に昇降するリフト装置（１）であって、
前記車室には、車両の側方に配置されたドアの開閉部近傍に縦方向に延びる回転軸（６）が設置され、
前記回転軸（６）は、その下部が前記車室の床面に、上部が前記車室の側壁に設けられた柱状の構造部材（１７）にそれぞれ回転可能に支持されており、かつ、
前記リフト装置（１）は、前記回転軸（６）の側方に配置されるとともに、連結部材（１０、１８）により前記回転軸（６）に固定されていることを特徴とする車両用リフト装置。
【請求項２】
前記車両は、エンジンの上方に車室が載置されたキャブオーバ車である請求項１に記載の車両用リフト装置。
【請求項３】
前記リフト装置（１）は、前記回転軸（６）に固着された板状部材（１８）とこの板状部材（１８）に垂直に固着されたアーム（１０）を有する連結部材により、前記回転軸（６）に固定される請求項１又は請求項２に記載の車両用リフト装置。
【請求項４】
前記リフト装置（１）には、インナフレーム（２）を収容するアウタフレーム（８）が両側に配置されるとともに油圧シリンダ（９）が中央に設置されており、前記インナフレーム（２）及び前記油圧シリンダ（９）のロッドが車椅子（３）を載置する取付板（４）に連結され、かつ、前記アウタフレーム（８）が連結部材（１０、１８）により前記回転軸（６）に固定されていることを特徴とする請求項１乃至請求項３のいずれかに記載の車両用リフト装置。
【請求項５】
前記油圧シリンダ（９）は、駆動用の作動油が一端から供給される単動型シリンダを有しており、前記油圧シリンダ（９）のロッドが伸張して車椅子（３）が下降する時は、作動油の排出管路の抵抗を調整することにより下降速度が制御される請求項４に記載の車両用リフト装置。
【請求項６】
前記リフト装置は、前記車両の助手席側のドアの近傍に設けられた請求項１乃至請求項５のいずれかに記載の車両用リフト装置。
【発明の詳細な説明】
【技術分野】
【０００１】
本発明は、身体障害者など車椅子の利用者が、車両の運転室等車室内のシートに容易に着座できるよう、車椅子に座ったままの状態で身体障害者等を運転室まで上昇させるリフト装置に関するものである。
【背景技術】
【０００２】
身体障害者が健常者と同様に働き生活すること、つまり、身体障害者の社会進出は、高福祉社会の実現に向けて一つの重要な課題である。車両の運転の面においても、ペダル等の足で操作する部品を手動で操作可能とするなど、身体障害者のための運転補助具等の開発が進められている。こうしたことから、下肢が不自由で車椅子を利用する身体障害者であっても、車両の運転を業務とすることができるようになってきている。
【０００３】
車両を運転するには運転室にあるシートに座る必要があるが、身体障害者が運転室に上がるには相当な困難を伴う。特に、キャブオーバ車と呼ばれる大型のトラック又はトラクタのような車両の運転室はエンジンの上方に配置されている関係上、運転室の床面の地上高が大きい。キャブオーバの大型車両には、運転室に昇降するステップが取付けられているけれども、車椅子を利用する身体障害者が自力で運転室に上がりシートに着座するのは、まず不可能である。
【０００４】
動力によるリフト装置を用いて車椅子を車両の床面まで持ち上げ、車椅子のまま車両に乗降できる装置は知られており、例えば特開２００３−２７５２５１号公報に示されている。あるいは、車両のシートを地上付近まで下降させその後床面まで持ち上げる装置も知られており、その中には、特開平７−３０００３７号公報に開示されるように、車両の前向きとなったシートを横向きに回転させた後に、これを昇降させる装置がある。
【０００５】
特開平７−３０００３７号公報に開示された装置を図７、図８により説明する。車両のシート３１は、その底面及び背面に沿って折れ曲がった枠体３２上に固定され、この枠体３２のシートの背面部中央には、長いねじロッド３３が設けられる。ねじロッド３３を上下させるため、支持体３４に回転可能に取付けられたスクリューギヤ３５がねじロッド３３にはめ込まれており、また、枠体３２は支持体３４に固定したローラに案内されて摺動可能となっている。スクリューギヤ３５は、チェーンを介して、同じく支持体３４に固定されたモータにより回転させられる。
【０００６】
スクリューギヤ３５及びモータを取付けた支持体３４は、扇形の回転板３６に固定される。一方、車両の床面には平板状の基板３７が固定されており、基板３７上に半円の環状となったレール３８が設けられている。扇形の回転板３６は、その中心部に短軸３９を有すると共に外周部にはレール３８内にはめ込まれたローラを有し、短軸３９を中心として９０度回転することが可能である。図７、図８では車両の側面が符号４０で表されており、これらの図の実線で示す車両の前向きに置かれたシートの枠体３２は、回転板３６を９０度旋回させることにより、図８の一点鎖線で示すように、車両側面の昇降口に対向する位置に移動して横向きとなる。
【０００７】
身体障害者等が車両に乗降する際には、まず、回転板３６を９０度回転させ、シート３１を横向きとして乗降口に臨ませる。この位置でモータを駆動してスクリューギヤ３５を回転させると、ねじロッド３３は下方に移動し、シート３１を載置した枠体３２は、図７に示す地上付近の下方位置まで降下する。身体障害者等がシート３１に着座した後、モータを逆方向に駆動すると、シート３１が上昇して基板３７の位置に達する。この位置で回転板３６を９０度回転させて元の位置に戻すとシート３１は前向きとなり、身体障害者等は通常の姿勢で車両に座ることができる。
【特許文献１】特開２００３−２７５２５１号公報
【特許文献２】特開平７−３０００３７号公報
【発明の開示】
【発明が解決しようとする課題】
【０００８】
車椅子に座ったままの状態で車両に乗降できる装置は、特許文献１に示されるとおり、公知のものであるが、車椅子を車両の前向きとした状態で運転室に引き上げるためには、リフト装置を車両の横方向に相当引き出す必要があり、キャブオーバ車のように運転室が高い車両に採用するのは事実上困難である。また、車両のシート自体を昇降させるのは、シートを特殊な構造とする必要があると同時に、一般的には車両のシートは車椅子よりも重く寸法も大きいので、リフト装置が大型となる結果を招く。
【０００９】
特許文献２に記載の装置では、シートを昇降させるときに９０度回転させてシートを横向きとする。そのために、シートの下部からその前方に亘って運転室の床面に平面状の基板を敷設し、基板にレールを設けて短軸を中心に回転する扇形の回転板を案内させ、この回転板にシートのリフト装置を固定している。しかし、車両の運転室、殊にトラックのようなキャブオーバ車の運転室は、なるべくコンパクトとなるよう設計されるため、基板を設置するスペースがない場合が多い。さらに、運転室の床面の下部には様々な部品が配置されており、床面には凹凸が存在することも多い。したがって、大きなストロークを有するリフト装置を設置する基板や回転板を設置するのは、運転室の大幅な改造を要し、非常に困難である。本発明は、身体障害者等が車両に乗降するリフト装置における、このような課題を解決するものである。
【課題を解決するための手段】
【００１０】
上記の課題に鑑み、本発明は、地上高の大きいキャブオーバ車等における車椅子のリフト装置をコンパクトとすることを目的とし、車両運転室等の車室のドア近傍に回転軸を設置してこれに直接リフト装置を取付けるものである。すなわち、本発明は、
「車椅子を車両の車室に昇降するリフト装置であって、
前記車室には、車両の側方に配置されたドアの開閉部近傍に縦方向に延びる回転軸が設置され、
前記回転軸は、その下部が前記車室の床面に、上部が前記車室の側壁に設けられた柱状の構造部材にそれぞれ回転可能に支持されており、かつ、
前記リフト装置は、前記回転軸の側方に配置されるとともに、連結部材により前記回転軸に固定されている」
ことを特徴とする車両用リフト装置となっている。
【００１１】
本発明は、請求項２に記載のように、エンジンの上方に車室が載置されたキャブオーバ車に特に好適なものである。
【００１２】
請求項３に記載のように、前記車両用リフト装置を、前記回転軸に固着された板状部材とこの板状部材に垂直に固着されたアームからなる連結部材により、前記回転軸に対して固定するよう構成してもよい。
【００１３】
前記車両用リフト装置としては、請求項４に記載のとおり、インナフレームを収容するアウタフレームが両側に配置されるとともに油圧シリンダが中央に設置されたものを使用し、前記インナフレーム及び前記油圧シリンダのロッドを、車椅子を載置する取付板に連結し、かつ、前記アウタフレームを連結部材により前記回転軸に対して固定するよう構成することができる。そして、この場合には、請求項５に記載のように、前記油圧シリンダとして駆動用の作動油が一端から供給される単動型シリンダを採用し、前記油圧シリンダのロッドが伸張して車椅子が下降する時は、作動油の排出管路の抵抗を調整することにより下降速度を制御することが可能である。
【００１４】
請求項６に記載のとおり、前記車両用リフト装置は、前記車両の助手席側のドアの近傍に設けられていることが好ましい。
【発明の効果】
【００１５】
車両に車椅子のリフト装置を装備するにあたり、本発明では、車両の側方に配置されたドアの開閉部近傍に縦方向に延びる回転軸を設置して、この回転軸の下部を車室の床面に、上部を車室の側壁に設けられた柱状の構造部材にそれぞれ回転可能に支持する。そして、リフト装置を連結部材により回転軸に固定し、リフト装置が回転軸と一体的に回転するようにする。リフト装置は、回転軸の側方にいわば直接取付けられてその直近に位置し、アクチュエータにより９０度旋回可能となっている。
【００１６】
本発明のリフト装置は、片持ち状態で回転軸に直接取付けられているから、リフト装置を９０度旋回させる旋回機構は、例えば特許文献２に開示された装置と比較すると、非常に簡素でコンパクトなものとなり、その横幅も小さく構成できる。また、運転室等の床面形状に関係なく設置することが可能である。
【００１７】
回転軸の下方と上方は、強度と剛性が高い運転室等の床面と側壁にそれぞれ取付られている。すなわち、回転軸の下部は車室の床面に、回転軸の上部は、車両の側方に配置されたドアの開閉部近傍の側壁に設けられる柱状の構造部材、いわゆるＢピラーに回転可能に支持され、回転軸取付部は、上部及び下部とも剛性の高い状態で固定されている。したがって、リフト装置の重量が大きく回転軸の上方と下方に大きなモーメント荷重が作用したとしても、リフト装置を確実に安定して保持することができる。
【００１８】
キャブオーバ車は運転室の高さが大きく、これに装備する車椅子のリフト装置はストロークが長いため必然的に重量も大きくなるので、請求項２の発明のように、キャブオーバ車に対して本発明は好適なものである。そして、リフト装置が長くその中央部が回転軸の中央部付近よりも上方に位置するような場合は、請求項３の発明のとおり、回転軸に板状部材を固着するとともに、この板状部材に垂直に固着されたアームにもリフト装置を固定することができる。こうすると、回転軸に固着する板状部材は上方に延長できるから、リフト装置の実質的に中央部付近を、アームにより支持することが可能となる。
【００１９】
リフト装置としては、請求項４の発明のように、インナフレームを収容するアウタフレームが両側に配置され油圧シリンダがその中央に設置された装置を使用することが好ましい。こうしたリフト装置はトラックの荷台に貨物を持ち上げるリフト装置として汎用のものであって、低コストで容易に入手することができる。このリフト装置における油圧シリンダには、請求項５の発明のように、作動油が一端から供給され一方向にのみ油圧で駆動される単動型シリンダを採用することがコスト面で有利である。このときは、車椅子及び身体障害者等を運転台から地上に降ろす際には、その重量による自由落下となるが、油圧シリンダから排出される作動油の排出管路の抵抗を調整することにより、下降速度を制御することが可能である。
【００２０】
本発明においては、請求項６の発明のように、リフト装置を車両の助手席側のドアの近傍に設け、助手席側のドア開口部から車椅子を昇降させることが好ましい。車両の助手席側は、歩道等が存在する道路の端側に面しており、車椅子の着脱等のため運転室への乗降に時間を要しても、作業を安全に行うことができる。なお、トラック等の座席面は、通常フラットとなっているので、下肢の不自由な身体障害者であっても、上肢を使って運転者側の席に移動することができる。
【発明を実施するための最良の形態】
【００２１】
以下、図面に基づいて、本発明のリフト装置について説明する。まず、リフト装置による車椅子の昇降手段の全体的な作動について理解を容易にするため、図１に、地上の車椅子を運転室に引き上げる手順を、複数の斜視図によって示す。これらの斜視図では助手席側のドアは図示を省略されているが、ドア開閉装置により開位置に保たれている。
【００２２】
キャブオーバ車の助手席側には、垂直面に対して約１５度傾斜させたリフト装置１が装備され、図１（ａ）では、リフト装置１のインナフレーム２及び油圧シリンダのロッドが伸張していて、車椅子３の取付板４は地上付近にある。図１（ａ）の左側に図示するように、車椅子３は後退しながら取付板４に向けて進み、車椅子３の下部フレ−ムに設けた図示しない固定ロッドが、取付板４の溝にはまり込み定位置となると、車椅子３の固定ロッドは取付板４の溝から外れないようロックされる。
【００２３】
リフト装置１に使用される車椅子３は、幅の狭い車両側部のドア開口部から出入可能とする必要がある。このため、図示の例では、車椅子３の両側の車輪は取外しが可能で、図１（ｂ）の左側に図示するように、両輪をまとめて横のフレームに取付ける。この作業は、リフト装置１により車椅子３を地上から少し持ち上げた状態、つまり図１（ｂ）の状態で行われる。両輪の取外し及び片側への取付が終了すると、リフト装置１の油圧シリンダにより車椅子３は引き上げられて、図１（ｃ）の状態となる。
【００２４】
車椅子３が運転室の床面の位置まで上昇すると、リフト装置１のアウタフレームに連結されたアクチュエータにより、車椅子を搭載したリフト装置は９０度回転し、図１（ｄ）に示すように、運転室の中に収納される。このとき車椅子３の車輪は片側にまとめられているので、ドア開口部を支障なく通過することができる。なお、図１では、取付板４には車椅子に座った身体障害者等の頭部を保護する安全枠５が設置されるとともに、リフト装置１のアウタフレームにはカバーが掛けられている。
【００２５】
図２は、リフト装置１とこれが取付けられる回転軸６及びリフト装置１を９０度旋回させるアクチュエータ１３を示す斜視図である。リフト装置１の両側のインナフレーム２は、それぞれアウタフレーム８内を摺動するようにこれにはめ込まれ、その下方端部には、車椅子３の取付板４が固着されている。２本のアウタフレーム８の中央には、油圧シリンダ９が設置され、油圧シリンダ９のロッドの下端はやはり取付板４に固着される。後述するように、油圧シリンダ９は単動型シリンダであって、その下方に作動油の供給及び排出のための接続口を有し、ゴム管等の可撓管を介して油圧源装置と連結されている。
【００２６】
リフト装置１のアウタフレーム８は、連結部材であるアーム１０により回転軸６に取付けられる。回転軸６は、車両における助手席側ドアの後方の開閉部近傍に設置され、下部が運転室の床面に、上部が運転席の側壁にそれぞれ回転可能に支持される。また、アウタフレーム８のブラケット１１には、軸１２を中心に揺動できるアクチュエータ１３のロッドが連結されており、このロッドを伸縮させることにより、リフト装置１は回転軸６を中心として９０度回転することとなる。
【００２７】
回転軸６の取付方法の詳細を図３に示す。図３の右側の図は、車両の中心から運転室に収納したリフト装置１を介してドア開閉部付近を見た図であり、左側の図は右側面図であって車両の側壁部分を断面で示している。回転軸６の下方及び上方には小径の短軸部が形成され、下方の短軸部は運転室の床面１４等に溶接された補強用の取付座１５にはめ込まれて支持される。一方、上方の短軸部は、取付ブラケット１６に形成された軸受孔にはめ込まれて支持されている。取付ブラケット１６は、ドア開閉部の直後に設けられる柱状の構造部材１７、いわゆるＢピラーにボルトによって固定される。通常、Ｂピラーの上部には、シートベルトの上方を支えるシートベルトアンカがボルトにより固定されているが、取付ブラケット１６をこのボルトで共締めしてもよい。なお、取付ブラケット１６が幅の広いものであるときは、その片側をボルトによってＢピラーに固着し、他側のボルトは運転室の側壁に直接又は補強用の座面等を取付けて固着することができる。
【００２８】
運転室の地上高が相当大きくリフト装置１が長くなって、その中央部が回転軸６の中央部付近よりも上方に位置するような場合は、図４に示すとおり、回転軸６に板状部材１８を溶接等で固着するとともに、この板状部材１８に垂直に固着されたアーム１０にも、リフト装置１を固定することができる。回転軸６に固着する板状部材１８は上方に延長されているから、リフト装置１の実質的に中央部付近を複数のアーム１０で支持することが可能となる。
【００２９】
ここで、図５及び図６に基づき、本発明のリフト装置の作動について説明する。図５はリフト装置を昇降させる際の操作を示す概略的な平面図で、図１（ｄ）のＡ−Ａ断面の車両側部構造も合わせて図示されている。運転室の側部にあるＢピラーには回転軸６が取付けられ、その側方にリフト装置１が固定される。リフト装置１は、通常はアクチュエータ１３により図５の実線の位置にあり前向きとなっている。運転室前方のインパネ部分の下部には、ドア開閉用アクチュエータ１９が設置されており、そのロッドはリンク機構を介してドアに連結されている。
【００３０】
車椅子３を昇降させるときは、まずドア開閉用アクチュエータ１９によりドアを全開とする。次いでアクチュエータ１３を駆動してそのロッドを伸張すると、アクチュエータ１３自体も軸１２を中心に搖動して点線の位置となり、リフト装置１は９０度旋回してドアの開閉部に臨む位置で横向きとなる。この状態でリフト装置１の油圧シリンダ９を操作し、車椅子３を昇降させる。
【００３１】
この実施例の油圧シリンダ９は単動型のものであり、図６に示すように、シリンダの下端に作動油の供給及び排出を行う接続口２０を有している。車椅子３を運転室に持ち上げるときは、逆止弁２１及び接続口２０を介して油圧ポンプ２２からシリンダ内に作動油を圧入し、油圧シリンダ９のロッドを上昇させる。油圧管路には可変絞り２３と制御弁２４を備えた排出管路が設けてあり、車椅子３を下降させる場合には、排出管路の制御弁２４を開放する。油圧シリンダ９のロッドには、車椅子３やインナフレーム２の重力が作用しているため、シリンダ内の作動油は排出管路から作動油タンクに戻される。このとき、排出管路に設けた可変絞り２３を調整し管路抵抗を変えることにより、車椅子３の下降速度を制御することができる。なお、作動油の供給及び排出の際に油圧シリンダ内のプランジャに空気の圧縮に伴う抵抗が作用しないよう、油圧シリンダ９の上端には空気の連通口が設けられている。
【００３２】
車椅子３の昇降及びドアの開閉等の制御は、車椅子３に座った身体障害者等の保持するリモートコントロール装置により行われる。リフト装置１には複数のリミットスイッチが設けてあり、リフト装置１の昇降や旋回における位置の検出に利用される。また、この実施例において使用される車椅子３は、地上付近の図１（ｂ）の位置で車輪の脱着を行うので、この位置ではリミットスイッチにより自動的に停止するよう制御される。
【００３３】
以上詳述したように、本発明は、キャブオーバ車等に装備する車椅子のリフト装置をコンパクトとするよう、車両運転室等の車室のドア近傍に回転軸を設置してこれに直接リフト装置を取付けるものである。前述の実施例では、リフト装置として単動型の油圧シリンダを用いているが、往復動とも油圧を用いる複動型油圧シリンダを用いてもよく、特許文献２に記載されたねじ機構を採用することもできる。また、本発明のリフト装置は、車椅子を利用する身体障害者の運転者ばかりではなく、高齢者等が車両に乗降する際にも利用できるのは明らかである。
【図面の簡単な説明】
【００３４】
【図１】本発明に基づく車椅子リフト装置の作動手順を示す斜視図である。
【図２】本発明のリフト装置と回転軸の概要を示す斜視図である。
【図３】本発明の回転軸の固定方法を示す図である。
【図４】本発明のリフト装置と回転軸の連結法の変形例を示す斜視図である。
【図５】本発明のリフト装置の作動を示す概略平面図である。
【図６】本発明の油圧シリンダの概要を示す図である。
【図７】車両のシートを昇降させる従来のリフト装置の側面図である。
【図８】図７の従来のリフト装置の平面図である。
【符号の説明】
【００３５】
１  リフト装置
３  車椅子
４  取付板
６  回転軸
９  油圧シリンダ
１０  アーム（連結部材）
１３  アクチュエータ
１５  取付座
１６  取付ブラケット
１７  構造部材
２３  可変絞り
【図１】
2006122567.tif 000003
【図２】
2006122567.tif 000004
【図３】
2006122567.tif 000005
【図４】
2006122567.tif 000006
【図５】
2006122567.tif 000007
【図６】
2006122567.tif 000008
【図７】
2006122567.tif 000009
【図８】
2006122567.tif 000010